(57)【要約】【課題】通信先との通信の際にユーザが現在地を容易に把握できる携帯端末装置を提供する。【解決手段】携帯電話機１は、第１、第２タッチパネル１１、２１と、第１、第２タッチパネル１１、１２を制御するＣＰＵ１００と、通信先との通信を行うための通信モジュール３０５と、現在地情報を取得するためのＧＰＳモジュール３１３とを備える。ここで、ＣＰＵ１００は、通信モジュール３０５が特定の通信先と通信を行うと判断したとき、ＧＰＳモジュール３１３により取得された現在地情報を第１、第２タッチパネル１１、２１に表示する。【選択図】図４
2012227853.tif 000002
【特許請求の範囲】
【請求項１】
表示部と、
前記表示部を制御する制御部と、
通信先との通信を行う通信部と、
現在地情報を取得する取得部と、を備え、
前記制御部は、前記通信部が特定の通信先と通信を行うと判断したとき、前記取得部により取得された前記現在地情報を前記表示部に表示する、
ことを特徴とする携帯端末装置。
【請求項２】
請求項１に記載の携帯端末装置において、
前記制御部は、前記現在地情報として、現在地が示された地図を前記表示部に表示する、
ことを特徴とする携帯端末装置。
【請求項３】
請求項２に記載の携帯端末装置において、
前記制御部は、前記現在地情報として、前記地図とともに現在地の住所を前記表示部に表示する、
ことを特徴とする携帯端末装置。
【請求項４】
請求項２または３に記載の携帯端末装置において、
前記取得部は、前記特定の通信先との関係において設定される場所の位置情報を取得し、
前記制御部は、前記地図に前記場所を組み込んで前記表示部に表示する、
ことを特徴とする携帯端末装置。
【請求項５】
請求項２ないし４の何れか一項に記載の携帯端末装置において、
前記表示部は、第１表示面を有する第１表示部と、第２表示面を有する第２表示部と、を含み、
前記制御部は、前記第１表示面および前記第２表示面のうち、少なくとも一方の表示面に前記地図を表示する、
ことを特徴とする携帯端末装置。
【請求項６】
請求項５に記載の携帯端末装置において、
前記制御部は、前記第１表示面および前記第２表示面のうち、一方の表示面に前記地図を表示し、他方の表示面に前記通信のための操作に係る操作画面を表示する、
ことを特徴とする携帯端末装置。
【請求項７】
請求項５または６に記載の携帯端末装置において、
少なくとも前記第２表示面が前記第１表示部に覆われる第１状態と前記第１表示面と前記第２表示面とが外部に露出する第２状態とに切替可能に前記第１表示部と前記第２表示部を支持する支持部と、
前記通信が前記特定の通信先と行われる場合に、前記第１状態において前記第２状態への切り替えを促す報知を行う報知部とを、さらに備える、
ことを特徴とする携帯端末装置。
【請求項８】
請求項５または６に記載の携帯端末装置において、
少なくとも前記第２表示面が前記第１表示部に覆われる第１状態と前記第１表示面と前記第２表示面とが外部に露出する第２状態とに切替可能に前記第１表示部と前記第２表示部を支持する支持部を、さらに備え、
前記制御部は、前記第１状態から前記第２状態に切り替えられると、前記第１状態よりも前記第１表示部と前記第２表示部の少なくとも一方の輝度を低くする、
ことを特徴とする携帯端末装置。
【請求項９】
請求項５ないし８の何れか一項に記載の携帯端末装置において、
前記制御部は、前記第１表示面および前記第２表示面のうち、一方の表示面に前記地図が表示された状態において、拡大操作を受け付けると、前記第１表示面および前記第２表示面に、前記地図を、前記一方の表示面に表示されていたときよりもエリアを拡げて表示する、
ことを特徴とする携帯端末装置。
【請求項１０】
請求項５ないし９の何れか一項に記載の携帯端末装置において、
前記制御部は、前記第１表示面および前記第２表示面のうち、一方の表示面に前記地図を表示し、他方の表示面に前記特定の通信先に関連付けて設定された処理を実行させる操作のための画面を表示する、
ことを特徴とする携帯端末装置。
【請求項１１】
請求項５ないし９の何れか一項に記載の携帯端末装置において、
前記特定の通信先は、緊急事態の際に通報される緊急通報先であり、
前記制御部は、前記第１表示面および前記第２表示面のうち、一方の表示面に前記地図を表示し、他方の表示面に前記緊急事態の対処方法の情報を表示する、
ことを特徴とする携帯端末装置。
【請求項１２】
請求項１ないし１１の何れか一項に記載の携帯端末装置において、
前記制御部は、前記特定の通信先との通信が終了した後も、前記現在地情報を前記表示部に表示する、
ことを特徴とする携帯端末装置。
【請求項１３】
請求項１ないし１２の何れか一項に記載の携帯端末装置において、
前記通信は、電子メールの送信であり、
前記通信部は、前記電子メールに前記現在地情報を含めて前記特定の通信先へ送信する、
ことを特徴とする携帯端末装置。
【請求項１４】
請求項１に記載の携帯端末装置において、
前記制御部は、前記現在地情報として、現在地の住所を前記表示部に表示する、
ことを特徴とする携帯端末装置。
【請求項１５】
表示部と、
通信先との通信を行う通信部と、
現在地情報を取得する取得部と、を備える携帯端末装置のコンピュータに、
前記通信部が特定の通信先と通信を行うと判断したとき、前記取得部により取得された前記現在地情報を前記表示部に表示する機能を付与するためのプログラム。
【発明の詳細な説明】
【技術分野】
【０００１】
本発明は、携帯電話機やＰＤＡ（Personal Digital Assistant）、タブレットＰＣ（TabletPC）等の携帯端末装置に関するものである。
【背景技術】
【０００２】
ユーザが外出中に事故や災害等の緊急事態に遭遇した場合、携帯電話機等の携帯端末装置から１１０番通報、１１９番通報などの緊急通報が行われ得る。このとき、慣れない場所などでは、ユーザが現在位置をよく把握できないことがある。
【０００３】
これに対し、携帯端末装置において、緊急通報する際に、ＧＰＳ機能を用いて、現在の位置情報（現在地情報）を緊急通報先へ自動送信するような構成が採られ得る（たとえば、特許文献１参照）。このような構成とすれば、緊急通報先がユーザの現在地を把握することができる。
【先行技術文献】
【特許文献】
【０００４】
【特許文献１】特開平８−３１７０８５号公報
【発明の概要】
【発明が解決しようとする課題】
【０００５】
しかしながら、上記構成では、ユーザ自身は現在地を把握できないため、緊急通報時や緊急通報後に適切な対応が円滑に行えない場合が生じ得る。
【０００６】
本発明は、かかる課題に鑑みてなされたものであり、通信先との通信の際にユーザが現在地を容易に把握できる携帯端末装置を提供することを目的とする。
【課題を解決するための手段】
【０００７】
本発明の第１の態様に係る携帯端末装置は、表示部と、前記表示部を制御する制御部と、通信先との通信を行う通信部と、現在地情報を取得する取得部とを備える。ここで、前記制御部は、前記通信部が特定の通信先と通信を行うと判断したとき、前記取得部により取得された前記現在地情報を前記表示部に表示する。
【０００８】
本態様に係る携帯端末装置において、前記制御部は、前記現在地情報として、現在地が示された地図を前記表示部に表示するような構成とされ得る。
【０００９】
本態様に係る携帯端末装置において、前記制御部は、前記現在地情報として、前記地図とともに現在地の住所を前記表示部に表示するような構成とされ得る。
【００１０】
本態様に係る携帯端末装置において、前記取得部は、前記特定の通信先との関係において設定される場所の位置情報を取得するような構成とされ得る。この場合、前記制御部は、前記地図に前記場所を組み込んで前記表示部に表示する。
【００１１】
本態様に係る携帯端末装置において、前記表示部は、第１表示面を有する第１表示部と、第２表示面を有する第２表示部とを含むような構成とされ得る。この場合、前記制御部は、前記第１表示面および前記第２表示面のうち、少なくとも一方の表示面に前記地図を表示する。
【００１２】
本態様に係る携帯端末装置において、前記制御部は、前記第１表示面および前記第２表示面のうち、一方の表示面に前記地図を表示し、他方の表示面に前記通信のための操作に係る操作画面を表示するような構成とされ得る。
【００１３】
本態様に係る携帯端末装置は、さらに、少なくとも前記第２表示面が前記第１表示部に覆われる第１状態と前記第１表示面と前記第２表示面とが外部に露出する第２状態とに切替可能に前記第１表示部と前記第２表示部を支持する支持部と、前記通信が前記特定の通信先と行われる場合に、前記第１状態において前記第２状態への切り替えを促す報知を行う報知部とを備えるような構成とされ得る。
【００１４】
本態様に係る携帯端末装置は、少なくとも前記第２表示面が前記第１表示部に覆われる第１状態と前記第１表示面と前記第２表示面とが外部に露出する第２状態とに切替可能に前記第１表示部と前記第２表示部を支持する支持部を、さらに備えるような構成とされ得る。この場合、前記制御部は、前記第１状態から前記第２状態に切り替えられると、前記第１状態よりも前記第１表示部と前記第２表示部の少なくとも一方の輝度を低くする。
【００１５】
本態様に係る携帯端末装置において、前記制御部は、前記第１表示面および前記第２表示面のうち、一方の表示面に前記地図が表示された状態において、拡大操作を受け付けると、前記第１表示面および前記第２表示面に、前記地図を、前記一方の表示面に表示されていたときよりもエリアを拡げて表示するような構成とされ得る。
【００１６】
本態様に係る携帯端末装置において、前記制御部は、前記第１表示面および前記第２表示面のうち、一方の表示面に前記地図を表示し、他方の表示面に前記特定の通信先に関連付けて設定された処理を実行させる操作のための画面を表示するような構成とされ得る。
【００１７】
本態様に係る携帯端末装置において、前記特定の通信先は、緊急事態の際に通報される緊急通報先とされ得る。この場合、前記制御部は、前記第１表示面および前記第２表示面のうち、一方の表示面に前記地図を表示し、他方の表示面に前記緊急事態の対処方法の情報を表示する。
【００１８】
本態様に係る携帯端末装置において、前記制御部は、前記特定の通信先との通信が終了した後も、前記現在地情報を前記表示部に表示するような構成とされ得る。
【００１９】
本態様に係る携帯端末装置において、前記通信は、電子メールの送信とされ得る。この場合、前記通信部は、前記電子メールに前記現在地情報を含めて前記特定の通信先へ送信する。
【００２０】
本態様に係る携帯端末装置において、前記制御部は、前記現在地情報として、現在地の住所を前記表示部に表示するような構成とされ得る。
【００２１】
本発明の第２の態様に係るプログラムは、表示部と、通信先との通信を行う通信部と、現在地情報を取得する取得部とを備える携帯端末装置のコンピュータに、前記通信部が特定の通信先と通信を行うと判断したとき、前記取得部により取得された前記現在地情報を前記表示部に表示する機能を付与する。
【発明の効果】
【００２２】
本発明によれば、通信先との通信の際にユーザが現在地を容易に把握できる携帯端末装置を提供することができる。
【００２３】
本発明の効果ないし意義は、以下に示す実施の形態の説明により更に明らかとなろう。
ただし、以下の実施の形態は、あくまでも、本発明を実施化する際の一つの例示であって、本発明は、以下の実施の形態に記載されたものに何ら制限されるものではない。
【図面の簡単な説明】
【００２４】
【図１】実施の形態に係る、携帯電話機の構成を示す図である。
【図２】実施の形態に係る、携帯電話機の構成を示す図である。
【図３】実施の形態に係る、携帯電話機が閉状態から開状態へ変形される様子を示す図である。
【図４】実施の形態に係る、携帯電話機の全体構成を示すブロック図である。
【図５】実施の形態に係る、携帯電話機が閉じた状態において第１表示面に待ち受け画面が表示された状態を示す図である。
【図６】実施の形態に係る、電話のアプリケーションにおける処理手順を示すフローチャートである。
【図７】実施の形態に係る、電話のアプリケーションにおける処理手順を示すフローチャートである。
【図８】実施の形態に係る、電話のアプリケーションにおける処理手順を示すフローチャートである。
【図９】実施の形態に係る、電話のアプリケーションが実行されたときの画面表示の遷移状態を表す図である。
【図１０】実施の形態に係る、電話のアプリケーションが実行されたときの画面表示の遷移状態を表す図である。
【図１１】実施の形態に係る、メールのアプリケーションにおける処理手順を示すフローチャートである。
【図１２】実施の形態に係る、メールのアプリケーションにおける処理手順を示すフローチャートである。
【図１３】実施の形態に係る、メールのアプリケーションが実行されたときの画面表示の遷移状態を表す図である。
【図１４】実施の形態に係る、メールのアプリケーションが実行されたときの画面表示の遷移状態を表す図である。
【図１５】実施の形態に係る、特定の相手先との関係において設定される場所の位置が地図上に表示される表示例を示す図である。
【図１６】変更例１に係る制御処理の処理手順を示すフローチャートである。
【図１７】変更例１に係る制御処理が実行されたときの画面表示を示す図である。
【図１８】変更例２に係る制御処理の処理手順を示すフローチャートである。
【図１９】変更例２に係る制御処理が実行されたときの画面表示を示す図である。
【図２０】変更例２に係る制御処理が実行されたときの画面表示を示す図である。
【図２１】その他の変更例に係る制御処理の処理手順を示すフローチャートである。
【発明を実施するための形態】
【００２５】
以下、本発明の実施の形態に係る携帯電話機について説明する。
【００２６】
＜携帯電話機の構成＞
図１（ａ）および（ｂ）ならび図２（ａ）および（ｂ）は、本実施の形態に係る携帯電話機１の構成を示す図である。図１（ａ）は、閉状態の携帯電話機１の構成を示す図である。図１（ｂ）は、開状態の携帯電話機１の構成を示す図である。図２(ａ)および（ｂ）は、チルト状態の携帯電話機１の構成を示す図である。
【００２７】
以下、携帯電話機１の構成要素に関する方向や位置関係について説明がなされる場合、「右」、「左」、「上」、「下」、「手前」および「奥」の方向は、図１(ａ)および（ｂ）に示されたように、第２キャビネット２０の配置状態を基準にして、それぞれ定められ
る。Ｘ軸、Ｙ軸およびＺ軸の正方向は、それぞれ、上、左および手前方向を表す。
【００２８】
携帯電話機１は、第１キャビネット１０と、第２キャビネット２０と、これら第１、第２キャビネット１０、２０を連結する連結部３０とで構成されている。
【００２９】
閉状態では、図１（ａ）に示す如く、第１キャビネット１０が、第２キャビネット２０の手前側に重ねられて配される。開状態は、図１（ｂ）に示す如く、第１キャビネット１０が、第２キャビネット２０の上側に並べられて配される。
【００３０】
第１キャビネット１０は、左右方向に長い平坦な直方体形状を有する。第１キャビネット１０には、第１タッチパネル１１が配されている。第１タッチパネル１１は、第１ディスプレイ１２および第１タッチセンサ１３を含む。
【００３１】
第１ディスプレイ１２は、各種画面を表示する。第１ディスプレイ１２に備えられるバックライト（図示せず）が点灯されることにより、第１タッチパネル１１の外面（以下、第１表示面１４と言う。）を介して、ユーザは各種画面を閲覧できる。
【００３２】
第１タッチセンサ１３は、長方形状の透明なシートであり、第１ディスプレイ１２の上に重ねられて配されている。第１タッチセンサ１３は、ユーザが第１表示面１４をタッチしたとき、タッチされた第１表示面１４上の位置を検出する。第１タッチセンサ１３は、検出した位置に応じた位置信号を出力する。
【００３３】
なお、ユーザが第１表示面１４を「タッチ」するとは、たとえば、ユーザが指やペンなどの接触部材によって第１表示面１４に触れることである。ユーザが接触部材によって第１表示面１４を押したり、撫でたり、第１表示面１４に図形や文字を描いたりする場合に「タッチ」が行われる。「タップ」とは、接触部材や指が表示面１４、２４を弾くように、表示面１４、２４のある位置において接触部材や指をタッチさせ、短時間のうちにリリースさせる動作を言う。
【００３４】
第１キャビネット１０には、第１タッチパネル１１の右隣に３つの第１タッチキー１５ａ、１５ｂ、１５ｃが配されている。第１タッチキー１５ａ、１５ｂ、１５ｃには、たとえば、静電容量式のキーが用いられる。この場合、静電容量の変化によってユーザの指等がキーに触れたことが検出され、入力信号が出力される。
【００３５】
第１キャビネット１０の背面部の左側には、動画および静止画の撮像のためのレンズ窓１６（図２（ｂ）参照）が配されている。
【００３６】
第２キャビネット２０は、左右方向に長い平坦な直方体形状を有する。第２キャビネット２０には、第２タッチパネル２１が配されている。第２タッチパネル２１は、第２ディスプレイ２２および第２タッチセンサ２３を含む。
【００３７】
第２ディスプレイ２２は、各種画面を表示する。第２ディスプレイ２２に備えられるバックライト（図示せず）が点灯されることにより、第２タッチパネル２１の外面である第２表示面２４を介して、ユーザは各種画面を閲覧できる。
【００３８】
第２タッチセンサ２３は、長方形状の透明なシートであり、第２ディスプレイ２２の上に重ねられて配されている。第２タッチセンサ２３は、ユーザが第２表示面２４をタッチしたとき、タッチされた第２表示面２４上の位置を検出する。第２タッチセンサ２３は、検出した位置に応じた位置信号を出力する。
【００３９】
第２キャビネット２０には、第２タッチパネル２１の右隣に３つの第２タッチキー２５ａ、２５ｂ、２５ｃが配されている。第２タッチキー２５ａ、２５ｂ、２５ｃには、たとえば、静電容量式のキーが用いられる。
【００４０】
第２キャビネット２０の下側側面部には、ハードキー群２６が配される。ハードキー群２６は、再生される音の音量のアップおよびダウンのためのキー等からなる。
【００４１】
閉状態において、第１表示面１４および第２表示面２４のうち、第１表示面１４のみが外部へ臨む。このとき、第２表示面２４は、第１キャビネット１０の第１タッチパネル１１の部分に覆われた状態となる。開状態およびチルト状態において、第１表示面１４および第２表示面２４の両方が、外部へ臨む。
【００４２】
なお、開状態およびチルト状態において、第１表示面１４の下側の境界は、第１キャビネット１０の下側側面に近い位置（数ミリメートル）に位置する。第２表示面２４の上側の境界は、第２キャビネット２０の上側側面に近い位置（数ミリメートル）に位置する。このように、開状態において第１表示面１４と第２表示面２４との間の隙間は小さいため、ユーザは、第１表示面１４と第２表示面２４とを、一体化された一つの表示面として認識できる。
【００４３】
図２（ａ）および（ｂ）を参照して、連結部３０は、中央フレーム３１、第１右フレーム３２、第１左フレーム３３、第２右フレーム３４および第２左フレーム３５を有する。中央フレーム３１は、左右に延びる形状を有する。中央フレーム３１の右端は、第１右フレーム３２の一端および第２右フレーム３４の一端に接続される。中央フレーム３１の左端は、第１左フレーム３３の一端および第２左フレーム３５の一端に接続される。
【００４４】
第１右フレーム３２および第１左フレーム３３は、それぞれ左右方向に延びる軸（図示せず）を有する。この軸が、図示の溝部１７により挟まれる。これら軸が、溝部１７に沿って移動可能に第１キャビネット１０に保持されることにより、第１キャビネット１０が、左右方向を軸として回転可能、且つ上下方向にスライド可能に、第１右フレーム３２および第１左フレーム３３により保持される。
【００４５】
第２右フレーム３４および第２左フレーム３５は、第２キャビネット２０を、左右方向を軸として回転可能に保持する。このように、第１および第２タッチパネル１１、２１は、第１および第２キャビネット１０、２０を介して連結部３０により、開状態および閉状態との間で切換可能に支持される。
【００４６】
図３（ａ）〜（ｆ）は、携帯電話機１が開状態（図３(ａ)）から閉状態（図３（ｆ））へ遷移される過程を説明する図である。これらの図は、携帯電話機１を右側から見た図である。
【００４７】
ユーザは、閉状態からチルト状態（図３（ｄ））を介して開状態へ、および開状態からチルト状態を介して閉状態へ、携帯電話機１を変形させることができる（図３参照）。
【００４８】
携帯電話機１が閉状態にあるとき、第１キャビネット１０が手前方向（図３（ａ）の破線矢印）へ移動されると、図３（ｂ）に示す如く、第１キャビネット１０の背面が第２キャビネット２０から離れる。このとき、第１キャビネット１０および第２キャビネット２０を支持する連結部３０は、時計回りの方向へ回転する（実線矢印参照）。
【００４９】
図３（ｂ）に示される状態において、第１キャビネット１０がさらに手前方向へ移動され、第１表示面１４が下を向くように回転されると（破線矢印参照）、連結部３０は、さ
らに時計回りに回転する。そして、図３（ｃ）に示されるように、第１キャビネット１０および連結部３０が配置される。
【００５０】
図３（ｃ）の状態において、第１キャビネット１０の下側の裏面が連結部３０に接するまで、第１キャビネット１０がさらに回転され、連結部３０がさらに時計回りに回転すると、携帯電話機１は、図３（ｄ）に示すチルト状態に至る。チルト状態では、第１表示面１４と第２表示面２４とが所定の鈍角（たとえば百数十度）をなす状態で並ぶ。
【００５１】
チルト状態において、第１キャビネット１０の背面の下側が連結部３０に当接した状態に保たれたまま、連結部３０が時計回りの方向へ回転されると（破線矢印参照）、携帯電話機１は、図３（ｅ）に示される状態になる。すなわち、第１表示面１４と第２表示面２４とが略一面となる。
【００５２】
図３（ｅ）に示される状態のとき、第１キャビネット１０および第２キャビネット２０との間には、間隙（数ミリメートル）が存在する。この状態から、第１キャビネット１０が第２キャビネット２０に対して下側へスライドされると（一点鎖線矢印参照）、図３（ｆ）のように、携帯電話機１は開状態へと至る。このとき、第１キャビネット１０の下側側面と、第２キャビネット２０の上側側面とが、互いに接した状態となる。開状態では、第１表示面１４と第２表示面２４とが略水平な状態で並ぶ。
【００５３】
なお、連結部３０には、連結部３０をチルト状態の位置に弱く保持するための構造が設けられている。連結部３０がチルト状態に弱く保持されるため、携帯電話機１は、チルト状態が保たれたまま、ユーザに利用されることが可能であり、且つ、ユーザは携帯電話機１の形態を容易にチルト状態から開状態または閉状態へ変化させることができる。
【００５４】
本実施における閉状態が、本発明の第１状態に相当し、チルト状態および開状態が、本発明の第２状態に相当する。
【００５５】
図４は、携帯電話機１の全体構成を示すブロック図である。本実施の形態の携帯電話機１は、上述した各構成要素の他、ＣＰＵ１００、メモリ２００、カメラモジュール３０１、マイクロフォン３０２（以下、単に「マイク」と言う。）、音声エンコーダ３０３、キー入力回路３０４、通信モジュール３０５、映像デコーダ３０６、音声デコーダ３０７、スピーカ３０８、バッテリ３０９、電源管理回路３１０、クロック３１１、開閉センサ３１２、ＧＰＳモジュール３１３および加速度センサ３１４を備えている。
【００５６】
カメラモジュール３０１は、第１キャビネット１０に配されている。カメラモジュール３０１は、第１キャビネット１０の背面から外部を臨むレンズ窓１６を有する。カメラモジュール３０１は、レンズ窓１６を介して撮像し、カメラモジュール３０１が内蔵する映像エンコーダ（図示せず）によりデジタル撮像信号を生成する。カメラモジュール３０１は、生成した撮像信号をＣＰＵ１００へ出力する。
【００５７】
マイク３０２は、第１キャビネット１０に配される。マイク３０２は、集音した音声を音声信号に変換して音声エンコーダ３０３へ出力する。音声エンコーダ３０３は、マイク３０２からのアナログの音声信号をデジタルの音声信号に変換し、変換されたデジタルの音声信号をＣＰＵ１００へ出力する。
【００５８】
キー入力回路３０４は、ハードキー群２６の各キーが押下されたときに、押下されたキーに応じた信号をＣＰＵ１００へ出力する。
【００５９】
通信モジュール３０５は、通話や通信のための電波を送受信するアンテナ（図示せず）
を備える。通信モジュール３０５は、ＣＰＵ１００から入力される信号を無線信号に変換し、アンテナを介して基地局へ送信する。また、通信モジュール３０５は、アンテナを介して受信した無線信号をＣＰＵ１００が利用できる形式の信号へ変換し、変換された信号をＣＰＵ１００へ出力する。
【００６０】
映像デコーダ３０６は、ＣＰＵ１００からの画像信号をデコードし、デコードした信号を第１ディスプレイ１２および第２ディスプレイ２２へ出力する。第１ディスプレイ１２および第２ディスプレイ２２は、映像デコーダ３０６からの信号から駆動信号を生成し、生成した駆動信号を、第１ディスプレイ１２および第２ディスプレイ２２が備える液晶パネル（図示せず）へ、それぞれ出力する。各液晶パネルは、入力した駆動信号に応じて、各種画面を描画する。バックライトが点灯し、液晶パネルに描画された画面が表示されることにより、ユーザは、第１表示面１４および第２表示面２４を介して、表示された各種画面を観ることができる。
【００６１】
音声デコーダ３０７は、ＣＰＵ１００からの音信号にデコード処理およびＤ／Ａ変換を施し、変換された信号をスピーカ３０８に出力する。スピーカ３０８は、音声デコーダ３０７から入力する信号に基づき、音を出力する。
【００６２】
スピーカ３０８は、通話スピーカ３０８ａと外部スピーカ３０８ｂとを含む。ユーザが携帯電話機１に耳を当てて通話を行う際には、通話スピーカ３０８ａから音声が出力される。一方、ユーザが携帯電話機１から耳を離して、即ち、いわゆるハンズフリーの状態で通話を行う際には、外部スピーカ３０８ｂから音声が出力される。外部スピーカ３０８ｂからは、着信音、アラーム音等の報知音も出力される。
【００６３】
バッテリ３０９は二次電池を含み、携帯電話機１を構成する各部へ、電力を供給する。
【００６４】
電源管理回路３１０は、ＣＰＵ１００からの制御信号に基づき、バッテリ３０９に関する各種の情報を取得するとともに、二次電池の充電等のための制御信号を、バッテリ３０９へ出力する。電源管理回路３１０は、二次電池が出力する電圧を検知し、検知した電圧に応じたデジタル信号を、ＣＰＵ１００に出力する。ＣＰＵ１００は、このデジタル信号に基づき、二次電池が出力できる電力のおよその残量（以下、「電池残量」と言う。）を検出する。
【００６５】
クロック３１１は、時間を計測し、計測した時間を応じた信号をＣＰＵ１００へ出力する。
【００６６】
開閉センサ３１２は、連結部３０の第２キャビネット２０に対する角度を検出する。開閉センサ３１２は、第２キャビネット２０と連結部３０がなす角度を検出する角度センサを備え、検出された角度に応じたデジタル信号を、ＣＰＵ１００へ出力する。ＣＰＵ１００は、開閉センサ３１２からの信号に基づき、現在、携帯電話機１の第１キャビネット１０および第２キャビネット２０の配置状態（以下、「画面状態」と言う。）が、開状態、閉状態およびチルト状態の何れであるかを検出する処理を実行する。
【００６７】
なお、画面状態は、角度センサ以外の手段によって、検出されてもよい。たとえば、磁気センサが、画面状態の検出のために利用され得る。この場合、たとえば、第２キャビネット２０に磁気センサが配され、第１キャビネット１０または連結部３０に磁石が配される。開閉センサ３１２は、磁気センサが画面状態によって異なる磁力を検知することに基づき、ＣＰＵ１００が開閉状態を検出するための信号を、ＣＰＵ１００へ出力する。
【００６８】
ＧＰＳモジュール３１３は、上空にある複数のＧＰＳ衛星からの信号に基づいて、経度
、緯度等の地理的な現在位置を測位し、その位置情報、即ちＧＰＳ情報をＣＰＵ１００に出力する。
【００６９】
加速度センサ３１４は、携帯電話機１に印加される加速度を検出する。加速度センサ３１４は３軸加速度センサであり、図１のＸ軸方向、Ｙ軸方向およびＺ軸方向の３方向に生じる加速度を検出する。加速度センサ３１４は、検出した加速度に応じた加速度信号をＣＰＵ１００へ出力する。
【００７０】
メモリ２００は、ＲＯＭおよびＲＡＭを含む。メモリ２００には、ＣＰＵ１００に制御機能を付与するための制御プログラムが記憶されている。制御プログラムは、通話、電子メール（以下、単に「メール」と言う。）、カメラ機能、ウェブブラウザ、音楽プレーヤ等の各種アプリケーションプログラム（以下、単に「アプリケーション」と言う。）を含む。後述するように、通話のアプリケーションは、通常の通話処理の他、特定の通話先への通話の際に実行される特別な通話処理を含む。また、メールのアプリケーションは、通常のメール処理の他、特定のメール先へのメールの際に実行される特別なメール処理を含む。
【００７１】
また、メモリ２００は、ＣＰＵ１００が制御プログラムを実行する際、一時的に利用または生成されるデータを記憶するワーキングメモリとしても使用される。
【００７２】
メモリ２００には、制御プログラムの他に、画像データ、通信モジュール３０５を介して外部から取り込んだ情報、および第１および第２タッチセンサ１３、２３により入力された情報等が、所定のファイル形式で保存される。
【００７３】
メモリ２００には、上記特別な通話処理が実行される特定の相手先の電話番号が記憶される。本実施の形態では、警察や消防署等、緊急事態の際に通報される緊急通報先の電話番号（１１０番、１１９番等）が、特定の相手先として、メモリ２００に記憶される。また、メモリ２００には、上記特別なメール処理が実行される特定の相手先のアドレスが記憶される。本実施の形態では、警察や消防署等、緊急通報先のアドレスが、特定の相手先として、メモリ２００に記憶される。
【００７４】
ＣＰＵ１００は、キー入力回路３０４、各タッチセンサ１３、２３からの操作入力信号に基づき、制御プログラムに従って、カメラモジュール３０１、マイク３０２、通信モジュール３０５、第１および第２ディスプレイ１２、２２、スピーカ３０８等を動作させる。これにより、ＣＰＵ１００は、各種アプリケーションを実行する。
【００７５】
なお、第１タッチパネル１１が、本発明の表示部および第１表示部に相当する。第２タッチパネル２１が、本発明の表示部および第２表示部に相当する。連結部３０が本発明の支持部に相当する。ＣＰＵ１００が、本発明の制御部および報知部に相当する。通信モジュール３０５およびＣＰＵ１００により、本発明の通信部が構成される。ＧＰＳモジュール３１３、通信モジュール３０５およびＣＰＵ１００により、本発明の取得部が構成される。
【００７６】
＜携帯電話機の機能＞
図５（ａ）および（ｂ）は、携帯電話機１が閉じた状態において第１表示面１４に待ち受け画面（ホーム画面）が表示された状態を示す図である。図４（ｂ）は、携帯電話機１を横にしたときの表示形態を示し、図４（ｂ）は、携帯電話機１を縦にしたときの表示形態を示す。
【００７７】
図５（ａ）および（ｂ）に示すように、待ち受け画面には、各種のアプリケーションに
それぞれ対応するアイコンＤ１が表示されている。アプリケーションは、予め携帯電話機１備えられているアプリケーション以外にも、インターネットを通じたダウンロード等により入手可能であり、入手されたアプリケーションは、インストールにより携帯電話機１に追加される。
【００７８】
また、待ち受け画面には、受信状態を示すアンテナマークＤ２、電池残量を示す残量マークＤ３および現在時刻Ｄ４が表示されている。ユーザは、アンテナマークＤ２により受信状態を確認でき、残量マークＤ３により電池残量を確認できる。また、ユーは現在時刻を確認できる。
【００７９】
ユーザは、複数のアイコンＤ１の中から、所望のアイコンＤ１を指等でタップすることにより、所望のアプリケーションを起動することができる。
【００８０】
メモリ２００には、各アイコンＤ１と表示面１４、２４上での各アイコンＤ１の位置とを対応付けるアイコン対応テーブル、および各アイコンＤ１と各アプリケーションとを対応付けるアプリ対応テーブルが記憶されている。ＣＰＵ１００は、アイコンＤ１がタップされると、タップされた位置に基づいて、アイコン対応テーブルを用いて、タップされたアイコンＤ１を特定する。さらに、アプリ対応テーブルを用いて、タップされたアイコンＤ１に対応するアプリケーションを特定し、そのアプリケーションを起動する。アプリケーションが起動されると、その実行画面が第１表示面１４に表示される。
【００８１】
＜電話のアプリケーション＞
図５に示すように、待ち受け画面が表示された状態において、複数のアイコンＤ１の中から、通話のアプリケーションに対応するアイコンＤ１がユーザによりタップされると、ＣＰＵ１００により、通話のアプリケーションが起動される。
【００８２】
図６から図８は、電話のアプリケーションに係る処理手順を示すフローチャートである。図６は、メイン処理における処理手順を示す。図７および図８は特別な通話処理における処理手順を示す。
【００８３】
また、図９および図１０は、電話のアプリケーションが実行されたときの画面表示の遷移状態を表す図である。なお、閉状態では、携帯電話機１が縦の向きで使用されることが多い。このため、図９では、携帯電話機１を縦にしたときの表示形態が示されている。また、開状態では、携帯電話機１が横の向きで使用されることが多い。このため、図１０では、携帯電話機１を横にしたときの表示形態が示されている。
【００８４】
図６を参照して、ＣＰＵ１００は、まず、第１表示面１４にダイヤル画面を表示する（Ｓ１）。図９（ａ）には、ダイヤル画面の一例が示されている。たとえば、ダイヤル画面には、電話番号が表示されるダイヤルウインドウＤ５、電話番号を入力するためのテンキーＤ６および、発信の操作を行うための発信キーＤ７が表示される。
【００８５】
ユーザはテンキーＤ６を用いて、所望の電話番号を入力した後、発信キーＤ７をタップする。
【００８６】
このようにして、発信操作がなされると（Ｓ２:ＹＥＳ）、ＣＰＵ１００は、通信モジュール３０５を介して、入力された電話番号の相手先に対し発信を行う（Ｓ３）。次に、ＣＰＵ１００は、入力された電話番号が、メモリ２００に記憶された特定の電話番号、ここでは、緊急通報先の電話番号であるか否を判定する（Ｓ４）。
【００８７】
たとえば、ユーザが外出先で事故や災害等、緊急事態に遭遇した場合、携帯電話機１を
用いて緊急通報先に電話をかける。この場合、ＣＰＵ１００は、入力された電話番号が特定の電話番号であると判定し（Ｓ４：ＹＥＳ）、特別な通話処理を行う（Ｓ５）。
【００８８】
図７および図８を参照して、ＣＰＵ１００は、現在地情報を取得する（Ｓ１０１）。即ち、ＣＰＵ１００は、ＧＰＳモジュール３１３から携帯電話機１の現在位置を取得する。さらに、ＣＰＵ１００は、通信モジュール３０５を介して、地図情報を配信する地図サーバから、現在位置の周辺領域の地図情報を取得する。
【００８９】
次に、ＣＰＵ１００は、携帯電話機１が閉状態であるか否かを判定する（Ｓ１０２）。通常、発信の際には、携帯電話機１は閉じられている。
【００９０】
ＣＰＵ１００は、携帯電話機１が閉状態であると判定すると（Ｓ１０２：ＹＥＳ）、携帯電話機１を開くことをユーザに促す報知を行う（Ｓ１０３）。即ち、ＣＰＵ１００は、図９（ｂ）に示すように、第１表示面１４に、現在地情報が表示される旨が記載されたポップアップウインドウＤ８をダイヤル画面に重ねて表示する。また、ＣＰＵ１００は、外部スピーカ３０８ａから、ビープ音、または現在地情報が表示される旨の音声を出力する。ポップアップウインドウＤ８は、たとえば、表示されてから一定時間が経過すると消される。ポップアップウインドウＤ８は、第１表示面１４の表示が通話画面に切り替わったとき、あるいは、携帯電話機１が開かれたときに消されても良い。
【００９１】
携帯電話機１からの発信に対し、相手先が受話操作を行うと、ＣＰＵ１００は、相手先の電話機等の端末と回線を確立する所定の処理を行う。ＣＰＵ１００は、相手先の端末との回線が確立したか否かを判定する（Ｓ１０４）。また、ＣＰＵ１００は、回線が確立されるまでの間に、携帯電話機１が開かれたか否かを判定する（Ｓ１１２）。ＣＰＵ１００は、たとえば、開閉センサ３１２により、閉状態が検出されなくなると、携帯電話機１が開かれたと判定する。あるいは、ＣＰＵ１００は、開閉センサ３１２により、チルト状態が検出されたときまたは開状態が検出されたときに、携帯電話機１が開かれたと判定しても良い。
【００９２】
携帯電話機１が開かれる前に、回線が確立されると（Ｓ１０４：ＹＥＳ）、ＣＰＵ
１００は、通話を開始する（Ｓ１０５）。これにより、マイク３０２から入力されたユーザの音声が無線化されて通信モジュール３０５から送信される。また、無線化された通話相手の音声が、通信モジュール３０５で受信され、通話スピーカ３０８ａから出力される。
【００９３】
ＣＰＵ１００は、通話が開始されると、第１表示面１４に通話画面を表示する（Ｓ１０６）。図９（ｃ）には、緊急通報先、たとえば１１０番へ電話を掛けた場合の通話画面の一例が示されている。たとえば、通話画面には、緊急通報先であることを示すマークＤ９とその電話番号Ｄ１０が表示される。さらに、スピーカ切替キーＤ１１、ミュートキーＤ１２、終話キーＤ１３が表示される。
【００９４】
スピーカ切替キーＤ１１がタップされると、音声等の出力先が通話スピーカ３０８ａと外部スピーカ３０８ｂとの間で切り替わる。ミュートキーＤ１２がタップされると、マイク３０２からの入力が無効にされる。終話キーＤ１３がタップされると、通話が終了される。なお、通話画面には、さらに、通話時間が表示されても良い。
【００９５】
次に、ＣＰＵ１００は、携帯電話機１が開かれたか否かを判定する（Ｓ１０７）。ユーザは、現在地情報を確認したい場合に携帯電話機１を開く。これにより、携帯電話機１が開かれたと判定すると（Ｓ１０７：ＹＥＳ）、ＣＰＵ１００は、第１表示面１４に通話画面を表示したまま、第２表示面２４に、現在地情報として、現在地が示された地図を表示
する（Ｓ１０８）。図１０（ａ）に示すように、地図上に現在地を示すマークＤ１４と住所が記載された吹出しＤ１５が表示される。
【００９６】
さらに、ＣＰＵ１００は、音声の出力先を通話スピーカ３０８ａから外部スピーカ３０８ｂに切り替える（Ｓ１０７）。これにより、ユーザは、携帯電話機１を耳元に当てなくても済み、地図を見ながら通話が行える。
【００９７】
なお、携帯電話機１が開かれないまま、終話キーＤ１３がタップされれば（Ｓ１１０：ＹＥＳ）、ＣＰＵ１００は、通話を停止する（Ｓ１１１）。
【００９８】
また、発信中に、ユーザによって携帯電話機１が開かれる場合がある（Ｓ１１２：ＹＥＳ）。また、稀ではあるが、携帯電話機１が開かれた状態で発信操作が行われる場合もある（Ｓ１０２：ＹＥＳ）。この場合、ＣＰＵ１００は、第２表示面２４に現在地が示された地図を表示するとともに（Ｓ１１３）、スピーカ３０８の切り替えを行う（Ｓ１１４）。この場合、第１表示面１４には、図１０（ａ）に示す通話画面でなく、ダイヤル画面がそのまま表示される。
【００９９】
そして、相手先の端末との回線が確立されれば（Ｓ１１５：ＹＥＳ）、ＣＰＵ１００は、通信を開始するとともに（Ｓ１１６）、第１表示面１４に通話画面を表示する（Ｓ１１７）。
【０１００】
こうして、開状態において通話が行われると、次に、ＣＰＵ１００は、終話操作がなされたか否かを判定する（Ｓ１１８）。そして、ユーザにより終話キーＤ１３がタップされれば、ＣＰＵ１００は、終話操作がなされたと判定し（Ｓ１１８：ＹＥＳ）、通話を停止する（Ｓ１１９）。
【０１０１】
通話が終了すると、ＣＰＵ１００は、第１表示面１４に待ち受け画面を表示する（Ｓ１２０）。このとき、図１９（ｂ）に示すように、第２表示面２４には地図が表示され続ける。また、第２表示面２４には、終了キーＤ１６が表示される。
【０１０２】
ユーザは、地図を消したい場合に、終了キーＤ１６をタップする。このようにして、終了操作がなされると（Ｓ１２１）、ＣＰＵ１００は、第２表示面２４に待ち受け画面を表示する（Ｓ１２２）。この場合、第２表示面２４には、第１表示面１４の待ち受け画面の続きの画面が表示される。このため、第１表示面１４だけでは表示できなかったアイコンＤ１が第２表示面２４に表示される。
【０１０３】
なお、図６に示すメイン処理において、通常の通話処理が実行された場合（Ｓ６）、現在地情報は取得されない。よって、第１表示面１４には、ダイヤル画面および通話画面が表示されるが、第２表示面２４には、携帯電話機１が開状態となっても、現在地情報が表示されない。この場合、たとえば、第２表示面２４には、待ち受け画面が表示される。
【０１０４】
＜メールのアプリケーション＞
図５に示すように、待ち受け画面が表示された状態において、複数のアイコンＤ１の中から、メールのアプリケーションに対応するアイコンＤ１がユーザによりタップされると、ＣＰＵ１００により、メールのアプリケーションが起動される。
【０１０５】
図１１および図１２は、メールのアプリケーションに係る処理手順を示すフローチャートである。図１１は、メイン処理における処理手順を示す。図１２は特別なメール処理における処理手順を示す。
【０１０６】
また、図１３および図１４は、メールのアプリケーションが実行されたときの画面表示の遷移状態を表す図である。なお、図１３では、携帯電話機１を縦にしたときの表示形態が示されている。また、図１４では、携帯電話機１を横にしたときの表示形態が示されている。
【０１０７】
図１１を参照して、ＣＰＵ１００は、まず、第１表示面１４にメール作成画面を表示する（Ｓ１１）。図１３（ａ）には、メール作成画面の一例が示されている。たとえば、メール作成画面には、文字を入力するための文字キーＤ１７および、メールの送信操作を行うための送信キーＤ１８が表示される。
【０１０８】
ユーザは文字キーＤ１７を用いて、送信先のアドレスおよび文書を入力した後、送信キーＤ１８をタップする。
【０１０９】
ＣＰＵ１００は、アドレスが入力されると（Ｓ１２：ＹＥＳ）、入力されたアドレスが、メモリ２００に記憶された特定のアドレス、ここでは、緊急通報先のアドレスであるか否を判定する（Ｓ１３）。そして、特定のアドレスであれば（Ｓ１３：ＹＥＳ）、特別なメール処理を行う（Ｓ１４）。
【０１１０】
図１２を参照して、ＣＰＵ１００は、現在地情報を取得する（Ｓ２０１）。即ち、ＣＰＵ１００は、ＧＰＳモジュール３１３から携帯電話機１の現在位置を取得し、さらに、地図サーバから、現在位置の周辺領域の地図情報を取得する。
【０１１１】
次に、ＣＰＵ１００は、携帯電話機１が閉状態であるか否かを判定する（Ｓ２０２）。ＣＰＵ１００は、携帯電話機１が閉状態であると判定すると（Ｓ２０２：ＹＥＳ）、図１３（ｂ）に示すように、第１表示面１４に、現在地情報が表示される旨が記載されたポップアップウインドウＤ１９をメール作成画面に重ねて表示する。また、ＣＰＵ１００は、外部スピーカ３０８ａから、ビープ音、または現在地情報が表示される旨の音声を出力する。ポップアップウインドウＤ１９は、たとえば、表示されてから一定時間が経過すると消される。
【０１１２】
次に、ＣＰＵ１００は、携帯電話機１が開かれたか否かを判定する（Ｓ２０４）。そして、携帯電話機１が開かれたと判定すると（Ｓ２０４：ＹＥＳ）、ＣＰＵ１００は、第１表示面１４にメール作成画面を表示したまま、第２表示面２４に、現在地情報として、現在地が示された地図を表示する（Ｓ２０５）。図１４（ａ）に示すように、地図上には現在地を示すマークＤ１４および住所が記載された吹出しＤ１５の他、現在地情報を添付ファイルとするための添付キーＤ２０が表示される。
【０１１３】
次に、ＣＰＵ１００は、送信操作がなされたか否かを判定する（Ｓ２０８）。また、ＣＰＵ１００は、添付操作が行われたか否かを判定する（Ｓ２０９）。
【０１１４】
ユーザは、メール本文に現在地情報を添付して送信したい場合に添付キーＤ２０をタップする。添付キーＤ２０がタップされると、ＣＰＵ１００は、添付操作がなされたと判定して（Ｓ２０９：ＹＥＳ）、現在地情報を添付ファイルに設定する（Ｓ２１０）。
【０１１５】
ユーザにより送信キーＤ１８がタップされると、ＣＰＵ１００は、メールを送信する（Ｓ２１１）。このとき、現在地情報が添付ファイルに設定されていれば、現在地情報をメール本文に添付して送信する。
【０１１６】
なお、携帯電話機１が開かれることなく、ユーザにより文書が作成され、送信キーＤ２０がタップされた場合、ＣＰＵ１００は、送信操作がなされたと判定し（Ｓ２０６：ＹＥ
Ｓ）メールを送信する（Ｓ２０７）。
【０１１７】
メールの送信が終了すると、ＣＰＵ１００は、第１表示面１４に待ち受け画面を表示する（Ｓ２１２）。このとき、図１４（ｂ）に示すように、第２表示面２４には地図が表示され続ける。また、第２表示面２４には、終了キーＤ１６が表示される。
【０１１８】
ユーザは、地図を消したい場合に、終了キーＤ１６タップする。このようにして、終了操作がなされると（Ｓ２１３）、ＣＰＵ１００は、第２表示面２４に待ち受け画面を表示する（Ｓ２１４）。
【０１１９】
なお、図１１に示すメイン処理において、通常のメール処理が実行された場合（Ｓ１５）、現在地情報は取得されない。よって、第１表示面１４には、メール作成画面が表示されるが、第２表示面２４には、携帯電話機１が開状態となっても、現在地情報が表示されない。この場合、たとえば、第２表示面２４には、待ち受け画面が表示される。
【０１２０】
＜本実施の形態の効果＞
このように、本実施の形態によれば、特定の通信先、望ましくは、緊急通報先との通信（電話、メール）がなされる場合に、現在地情報が取得されて表示される。このため、ユーザは、現在地を容易に把握できる。よって、ユーザは、通話やメールで現在地を相手に伝えることが可能となる。また、通信後も、現在地情報を用いて、必要な対応、たとえば、緊急時の対応を円滑にとることが可能となる。
【０１２１】
また、本実施の形態によれば、現在地情報として現在地を示す地図が表示されるので、ユーザが現在地を一層把握しやすい。さらに、現在地の住所が表示されるので、ユーザが現在地をより一層把握しやすい。
【０１２２】
さらに、本実施の形態によれば、通信が終了しても、現在地情報が表示され続けるので、通信後もユーザは現在地を確認でき、通信後、ユーザは必要な対応をとり易い。たとえば、自動車事故のような場合、警察への通報後にロードサービスへ連絡する際、現在地情報を活用できる。
【０１２３】
さらに、本実施の形態によれば、２つの表示面１４、２４が備えられ、一方の表示面に現在地情報が表示され、他方の表示面に通信操作のための画面（ダイヤル画面、通話画面、メール作成画面）が表示される。よって、通信に係る操作性は維持しながら、ユーザに現在地を把握させることができる。
【０１２４】
さらに、本実施の形態によれば、特定の通信先との通信を行う際に、携帯電話機１が閉状態にあり、現在地情報が見られない状態にあれば、携帯電話機１を開くことを促す報知が行われる。よって、ユーザは、より円滑に現在地情報を確認することができる。
【０１２５】
さらに、本実施の形態によれば、現在地情報をメールに添付して送信できるので、相手先に現在地を容易に知らせることができる。
【０１２６】
なお、図１５に示すように、特定の通信先との関係において設定される場所（施設、業者）、たとえば、通信先が警察署（１１０番）や消防署（１１９番）であれば、病院やロードサービス会社の位置が、地図上に表示されるようにしても良い。この場合、たとえば、メモリ２００に、たとえば、「１１０番」に対応付けて「病院」および「ロードサービス会社」の項目が記憶される。そして、ステップＳ１０２において、地図情報とともに、メモリ２００に記憶された「病院」と「ロードサービス会社」の位置情報が地図サーバから取得される。こうして、ステップＳ１０８またはＳ１１３の処理により、図１５（ａ）
、（ｂ）に示すように、地図上に病院のマークＤ２１およびロードサービス会社のマークＤ２２が表示される。なお、図１５には、電話のアプリケーションにおける画面表示が示されているが、メールのアプリケーションにおいても同様である。
【０１２７】
このようにすれば、ユーザは、必要な対応をよりとり易くなる。たとえば、事故等により怪我を負ったが自分で病院に行けるような場合に、近隣の病院にすぐに向かうことができる。
【０１２８】
＜変更例１＞
図１６は、変更例１に係る制御処理の処理手順を示すフローチャートである。図１７は、変更例１に係る制御処理が実行されたときの画面表示を示す図である。
【０１２９】
本変更例では、ユーザは、第１表示面１４および第２表示面２４に、地図を拡大させて表示させることができる。
【０１３０】
図１６に示すように、本変更例では、図８に示すステップＳ１２０からＳ１２２の処理、および図１２に示すステップＳ２１２からＳ２１４に替えて、ステップＳ３０１からＳ３０９の処理が実行される。それ以外の処理は、上記実施の形態における処理と同じである。
【０１３１】
図１６を参照して、通話が停止されると、あるいはメールの送信が完了すると、ＣＰＵ１００は、第２表示面２４に現在地情報を表示したまま、第１表示面１４に待ち受け画面を表示する（Ｓ３０１）。このとき、図１７（ａ）に示すように、ＣＰＵ１００は、第２表示面２４に、拡大操作に用いられる拡大キーＤ２３を表示する。なお、拡大キーＤ２３は、第１表示面１４に表示されても良く、両方の表示面１４、２４に表示されても良い。
【０１３２】
その後、ＣＰＵ１００は、終了操作がなされれば（Ｓ３０２：ＹＥＳ）、第２表示面２４に待ち受け画面を表示する（Ｓ３０３）。一方、終了操作がなされなければ（Ｓ３０２：ＮＯ）、拡大操作がなされたか否かを判定する（Ｓ３０４）。
【０１３３】
ユーザは、第２表示面２４に表示された地図よりもエリアの広い地図を見たい場合、拡大キーＤ２３をタップする。これにより、拡大操作がなされたと判定すると（Ｓ３０４：ＹＥＳ）、ＣＰＵ１００は、図１７（ｂ）に示すように、現在地が示された地図を、第１表示面１４に表示されていたときよりエリアを拡げて第１表示面１４および第２表示面２４に表示する（Ｓ３０５）。
【０１３４】
このように拡大表示がなされると、次に、ＣＰＵ１００は、縮小操作がなされたか否かを判定する（Ｓ３０６）。たとえば、図１７（ｂ）に示すように、第２表示面２４に、縮小操作に用いられる縮小キーＤ２４が表示される。縮小キーＤ２４は、第１表示面１４に表示されても良く、両方の表示面１４、２４に表示されても良い。
【０１３５】
ユーザは、もとの表示形態に戻したい場合、縮小キーＤ２４をタップする。これにより、縮小操作がなされたと判定すると（Ｓ３０６：ＹＥＳ）、ＣＰＵ１００は、図１７（ａ）に示すように、現在地が示された地図を、第２表示面２４に表示する（Ｓ３０７）。
【０１３６】
なお、地図が拡大表示された状態において、縮小操作がなされずに、終了操作がなされた場合には（Ｓ３０８：ＹＥＳ）、ＣＰＵ１００は、第１表示面１４および第２表示面２４に待ち受け画面を表示する（Ｓ３０９）。
【０１３７】
このように、本変更例によれば、拡大操作を行うことにより、エリアの広い地図を見る
ことができる。これにより、ユーザは、エリアの広い地図を用いて現在地の近隣の情報を良好に収集することができる。
【０１３８】
なお、本変更例では、通信が終了された後に、地図を拡大する操作が行えるようにしたが、通話中やメール文書の作成中にも、拡大操作が行えるようにしても良い。この場合、図８において、ステップＳ１１８で終話操作がなされないと判定された場合に（Ｓ１１８：ＮＯ）、ステップＳ３０４の処理に進むようにすると良い。また、図１２において、ステップＳ２０９で添付操作がないと判定された場合に（Ｓ２０９：ＮＯ）、ステップＳ３０４の処理に進むようにすると良い。
【０１３９】
また、拡大操作および縮小操作のためのキーとして、ハードキー群２６の所定のキーが割り当てられても良い。
【０１４０】
＜変更例２＞
図１８は、変更例２に係る制御処理の処理手順を示すフローチャートである。図１９および図２０は、変更例２に係る制御処理が実行されたときの画面表示を示す図である。
【０１４１】
上記実施の形態では、開状態において通信が終了すると、第１表示面１４に待ち受け画面が表示される。これに対し、本変更例では、開状態において通信が終了すると、ユーザに必要とされそうなアプリを起動したり、ユーザに必要とされそうな情報を表示させたりするための操作項目画面が第１表示面１４に表示される。
【０１４２】
図１８に示すように、本変更例では、図８に示すステップＳ１２０からＳ１２２の処理、および図１２に示すステップＳ２１２からＳ２１４に替えて、ステップＳ４０１からＳ４１３の処理が実行される。それ以外の処理は、上記実施の形態における処理と同じである。
【０１４３】
図１４を参照して、通話が停止されると、あるいはメールの送信が完了すると、ＣＰＵ１００は、第１表示面１４に操作項目画面を表示する（Ｓ４０１）。図１９（ａ）に示すように、操作項目画面には、電話のアプリケーションを起動するための電話キーＤ２５、メールのアプリケーションを起動するためのメールキーＤ２６、および緊急事態の対処方法を表示させるための対処表示キーＤ２７が表示される。
【０１４４】
ＣＰＵ１００は、終了操作がなされれば（Ｓ４０２：ＹＥＳ）、第１表示面１４および第２表示面２４に待ち受け画面を表示する（Ｓ４０３）。一方、終了操作がなされなければ（Ｓ４０２：ＮＯ）、キーＤ２５、Ｄ２６、Ｄ２７により何れの機能が選択されたか否かを判定する（Ｓ４０４、Ｓ４０５、Ｓ４０６）。
【０１４５】
たとえば、ユーザが自動車事故に遭った場合、警察署等の緊急通報先に通報した後に、修理会社や家族等に連絡をとるために、電話やメールを使用し得る。
【０１４６】
電話キーＤ２５がタップされることにより、電話のアプリケーションが選択されたと判定すると（Ｓ４０４：ＹＥＳ）、ＣＰＵ１００は、電話のアプリケーションを起動する（Ｓ４０７）。第１表示面１４には、図１０（ａ）と同様なダイヤル画面が表示される。また、メールキーＤ２６がタップされることにより、メールのアプリケーションが選択されたと判定すると（Ｓ４０５：ＹＥＳ）、ＣＰＵ１００は、メールのアプリケーションを起動する（Ｓ４０８）。第１表示面１４には、図１４（ａ）と同様なメール作成画面が表示される。
【０１４７】
一方、ユーザは、緊急事態の対処方法を参照したい場合に、対応表示キーＤ２７をタッ
プする。本変更例では、対処方法として、人工蘇生方法と事故対応に関する情報がメモリ２００に記憶されている。
【０１４８】
対応表示キーＤ２７がタップされることにより、対象方法を表示する機能が選択されたと判定すると（Ｓ４０６：ＹＥＳ）、ＣＰＵ１００は、第１表示面１４に選択画面を表示する（Ｓ４０９）。図１９（ｂ）に示すように、選択画面には、「人工蘇生方法」を選択するための第１選択キーＤ２８と「事故対応」を選択するための第２選択キーＤ２９が表示される。
【０１４９】
ユーザにより、第１選択キーＤ２８がタップされると、ＣＰＵ１００は、「人工蘇生方法」が選択されたと判定し（Ｓ４１０：ＹＥＳ）、図２０（ａ）に示すような、人工蘇生方法の解説画面を表示する（Ｓ４１１）。一方、ユーザにより、第２選択キーＤ２４がタップされると、ＣＰＵ１００は、「事故対応」が選択されたと判定し（Ｓ４１２：ＹＥＳ）、図２０（ｂ）に示すような、事故対応の解説画面を表示する（Ｓ４１３）。
【０１５０】
なお、図１８のフローチャートには記載されていいないが、図１９（ｂ）に示す選択画面において、バックキーＤ３０がタップされれば、ＣＰＵ１００は、第１表示面１４の表示を図１９（ａ）の操作項目画面に戻す。また、図２０（ａ）、（ｂ）に示す解説画面において、バックキーＤ３０がタップされれば、ＣＰＵ１００は、第１表示面１４の表示を図１９（ｂ）の選択画面に戻す。さらに、第１表示面１４に選択画面が表示されている状態において、終了キーＤ１６がタップされれば、ＣＰＵ１００は、第１表示面１４および第２表示面２４に待ち受け画面を表示する。
【０１５１】
このように、本変更例によれば、通信が終了した後、ユーザは、必要なアプリケーションをすぐに使用することや、必要な情報を素早く入手することができる。よって、ユーザは、緊急事態の対応等、必要な対応をより円滑に行うことができる。
【０１５２】
なお、本変更例の構成に加えて、上記変更例１の構成が適用されても良い。
【０１５３】
＜その他＞
以上、本発明に係る実施の形態および変更例について説明したが、本発明は、上記実施の形態および変更例に何ら制限されるものではない。また、本実施の形態も、上記以外に、各種の変更が可能である。
【０１５４】
たとえば、携帯電話機１が閉状態から開状態に切り替えられた場合に、ＣＰＵ１００は、第１ディスプレイ１２および第２ディスプレイ２２のバックライトの輝度を低減させるようにしても良い。この場合、図２１（ａ）、（ｂ）に示すように、電話のアプリケーションの場合には、スピーカ３０８を切り替える処理（Ｓ１０８、Ｓ１１３）続いて、バックライトの輝度を低減させる処理（Ｓ１５１、Ｓ１５２）が実行される。また、図２１（ｃ）に示すように、メールのアプリケーションの場合には、現在地情報を表示する処理（Ｓ２０６）に続いて、バックライトの輝度を低減させる処理（Ｓ１５３）が実行される。
【０１５５】
このようにすれば、バッテリ３０９の消費電力を抑制できる。
【０１５６】
なお、第１ディスプレイ１２および第２ディスプレイ２２のうち、一方のディスプレイのバックライトの輝度だけを低減するようにしても良い。
【０１５７】
また、上記実施の形態では、特定の通信先を緊急通報先としたが、その他の通信先とすることもできる。たとえば、特定の通信先を、ロードサービス会社、家族等とすることもできる。また、ユーザが、特定の通信先を設定できるような構成とされても良い。
【０１５８】
さらに、本実施の形態では、通話のアプリケーションおよびメールのアプリケーションに本発明を適用されている。しかしながら、通話のアプリケーションおよびメールのアプリケーションの少なくとも一方に本発明が適用さされば良い。
【０１５９】
さらに、第１キャビネット１０に近接センサが設けられても良い。この場合、近接センサにより、第１表示面１４にユーザの耳等が近づいたか否かが検出される。電話のアプリケーションにおいて、ＣＰＵ１００は、閉状態にあるときに、第１表示面１４にユーザの耳等が近づくと、第１タッチパネル１１（第１ディスプレイ１２および第１タッチセンサ１３）をオフする。
【０１６０】
さらに、上記実施の形態では、開状態において、第１表示面１４にダイヤル画面、通話画面およびメール作成画面が表示され、第２表示面２４に現在地情報が表示される。しかしながら、これに限らず、第２表示面２４にダイヤル画面、通話画面およびメール作成画面が表示され、第１表示面１４に現在地情報が表示されても良い。
【０１６１】
さらに、本実施の形態では、主たるディスプレイを２つ備えた携帯電話機１を用いたが、スマート型、シェル型（折りたたみ式）等、主たるディスプレイを１つ備えた携帯電話機１を用いることもできる。この場合、１つのディスプレイの表示領域が２つの領域に分割され、一方の領域にダイヤル画面、通話画面およびメール作成画面が表示され、他方の領域に現在地情報が表示される。
【０１６２】
さらに、上記実施の形態では、携帯電話機１を用いたが、ＰＤＡやタブレットＰＣ、電子書籍端末、携帯ゲーム機などの携帯端末装置を用いることもできる。
【０１６３】
この他、本発明の実施の形態は、特許請求の範囲に示された技術的思想の範囲内において、適宜、種々の変更が可能である。たとえば、上記実施形態の一部または全部を組み合わせることができる。
【符号の説明】
【０１６４】
１  携帯電話機
１１  第１タッチパネル
１４  第１表示面
２１  第２タッチパネル
２４  第２表示面
３０  連結部
１００  ＣＰＵ
３０５  通信モジュール
３１３  ＧＰＳモジュール
【図１】
2012227853.tif 000003
【図２】
2012227853.tif 000004
【図３】
2012227853.tif 000005
【図４】
2012227853.tif 000006
【図５】
2012227853.tif 000007
【図６】
2012227853.tif 000008
【図７】
2012227853.tif 000009
【図８】
2012227853.tif 000010
【図９】
2012227853.tif 000011
【図１０】
2012227853.tif 000012
【図１１】
2012227853.tif 000013
【図１２】
2012227853.tif 000014
【図１３】
2012227853.tif 000015
【図１４】
2012227853.tif 000016
【図１５】
2012227853.tif 000017
【図１６】
2012227853.tif 000018
【図１７】
2012227853.tif 000019
【図１８】
2012227853.tif 000020
【図１９】
2012227853.tif 000021
【図２０】
2012227853.tif 000022
【図２１】
2012227853.tif 000023